【手続補正書】
【提出日】平成16年10月29日(2004.10.29)
【手続補正１】
【補正対象書類名】明細書
【補正対象項目名】全文
【補正方法】変更
【補正の内容】
【書類名】  明細書
【発明の名称】冷凍冷蔵リーチインショーケース
【特許請求の範囲】
【請求項１】  ショーケース本体内を断熱壁で相互に遮断された複数の独立した室に区画し、各室の前面の商品出し入れ用の開口に扉を設け、各室をそれぞれ室毎に異なる温度帯に切り換え可能にしたことを特徴とする冷凍冷蔵リーチインショーケース。
【請求項２】  異なる温度帯に対応させて少なくとも２つの冷凍サイクルを設置するとともに、各室にはそれぞれ専用の冷却器を配設することを特徴とした請求項１記載の冷凍冷蔵リーチインショーケース。
【請求項３】  ショーケース本体内を断熱壁で相互に遮断され、異なる温度帯に設定される複数の室に区画し、各室の前面の商品出し入れ用の開口に扉を設け、各室のうちすくなくとも１つを冷温切換室に形成した冷凍冷蔵リーチインショーケースにおいて、複数の冷凍サイクルを設け、前記冷温切換室を温蔵室に設定するときに当該冷温切換室を冷却する冷凍サイクル以外の他の冷凍サイクルの冷媒熱で該温蔵室を加温することを特徴とした冷凍冷蔵リーチインショーケース
【請求項４】  他の冷凍サイクルに２つの凝縮器を設け、そのうちの一方の凝縮器を冷温切換室のダクトに配設し、他の冷凍サイクルの圧縮機から吐出されて前記ダクトに配設した凝縮器で凝縮する時の冷媒の放熱で温蔵室を加温することを特徴とした請求項３記載の冷凍冷蔵リーチインショーケース
【請求項５】  前記冷温切換室のダクトは、冷凍サイクルの冷却器が配設される冷気循環ダクトであることを特徴とした請求項４記載の冷凍冷蔵リーチインショーケース
【請求項６】  異なる温度帯は、アイスクリーム用、冷蔵用、冷凍用、温蔵用であり、アイスクリーム用の冷凍サイクルの凝縮器を温蔵室のダクトに配設することを特徴とする請求項３から請求項５のいずれかに記載の冷凍冷蔵リーチインショーケース
【請求項７】  前記冷温切換室は、ヒータを備えることを特徴とする請求項１から請求項６のいずれかに記載の冷凍冷蔵リーチインショーケース
【発明の詳細な説明】
【０００１】
【発明の属する技術分野】
本発明は、スーパーマーケットなどの食品店舗に設置する冷凍冷蔵リーチインショーケースに関するものである。
【０００２】
【従来の技術】
かかる冷凍冷蔵リーチインショーケースには、例えば、断熱壁で構成されるショーケース本体の前面に商品出し入れ用の開口を形成し、該開口を扉で開閉自在に覆い、ショーケース本体内の商品収納庫を断熱仕切板で複数の室に区画し、各室を例えば冷凍室、冷蔵室のようにそれぞれ異なる温度帯に設定するものがあるが、さらに、ショーケースには、従来、例えば特開平６−１８１６０号公報、特開平１０−３００３３３号公報に記載のように、収納する商品の種類に対応させるため冷温切換室を設けて、１つの室を冷蔵室と温蔵室とに切り換え可能とするものがある。
【０００３】
そして、商品収納庫内を冷却するには、商品収納庫の下方に形成した冷却室に配設した冷却器で冷却した冷風をダクトを介して各室内に供給するが、冷温切換室を冷蔵室として使用する場合も、前記ダクトで分配される冷風を該冷蔵室内に供給する。また、冷温切換室を温蔵室として使用する場合は、ダクトに設けたダンパーを閉じて室内へ供給される冷風を遮断するとともに、室内の商品棚やダクトなどに配設してあるヒータに通電して室内を加熱する。
【０００４】
【発明が解決しようとする課題】
複数の室を異なる温度帯に設定するとともに、冷温切換室を設けたショーケースにおいて、従来は前記のように設置される冷却器は商品収納庫の下方の冷却室に配置され、この冷却器で冷却された冷風をダクトを介して各室に分配する構造となっているため、冷温切換室を温蔵室として使用する場合は、前記のようにダクトを遮断して冷風の供給を停止するとともに、ヒータに通電する他に方法がなかった。
【０００５】
このため、加熱のための電力を別途必要として運転コストが嵩むおそれがある。
【０００６】
本発明の目的は前記従来例の不都合を解消し、複数の室を異なる温度帯に設定するとともに、冷温切換室を設けたショーケースにおいて、冷温切換室を温蔵室として使用する場合に、加熱のための電力を節減でき運転コストを抑えることができるだけでなく、確実に加温でき、また、そのために構造が複雑になることもない冷凍冷蔵リーチインショーケースを提供することにある。
【０００７】
【課題を解決するための手段】
本発明は前記目的を達成するため、第１に、ショーケース本体内を断熱壁で相互に遮断された複数の独立した室に区画し、各室の前面の商品出し入れ用の開口に扉を設け、各室をそれぞれ室毎に異なる温度帯に切り換え可能にした。このように各室は相互に温度的に遮断されるから、各室毎に設定された温度帯の温度に各室内を確実に保持することができ、収納商品に適した温度を確保できる。
【０００８】
第２に、異なる温度帯に対応させて少なくとも２つの冷凍サイクルを設置するとともに、各室にはそれぞれ専用の冷却器を配設することにより、各室は専用の冷却器で温度制御され、各室毎に設定された温度帯の温度に各室内を確実に保持することができる。そして、この場合、冷凍サイクルは少なくとも２つ設置したから、区画された室が２つ以上で、異なる温度帯が２つ以上であっても、冷凍サイクルの運転時間のオン時間や能力を各室の設定温度に対応させることができ、設定温度を確保しやすい。
【０００９】
第３に、ショーケース本体内を断熱壁で相互に遮断され、異なる温度帯に設定される複数の室に区画し、各室の前面の商品出し入れ用の開口に扉を設け、各室のうちすくなくとも１つを冷温切換室に形成した冷凍冷蔵リーチインショーケースにおいて、複数の冷凍サイクルを設け、前記冷温切換室を温蔵室に設定するときに当該冷温切換室を冷却する冷凍サイクル以外の他の冷凍サイクルの冷媒熱で該温蔵室を加温するようにした。
【００１０】
これにより、冷温切換室以外の室を冷却する冷凍サイクルの冷媒の熱を利用して温蔵室を加温できるから、加温のためにヒータなどの加熱手段を別途格別に必要とせず、運転コストを低減できる。
【００１１】
第４に、他の冷凍サイクルに２つの凝縮器を設け、そのうちの一方の凝縮器を冷温切換室のダクトに配設し、他の冷凍サイクルの圧縮機から吐出されて前記ダクトに配設した凝縮器で凝縮する時の冷媒の放熱で温蔵室を加温することにより、他の冷凍サイクルの冷媒配管を冷温切換室のダクトにバイパスさせてここに凝縮器を配設するだけの簡単な構成で圧縮機から吐出した高温高圧のホットガス（気体冷媒）を冷温切換室のダクトに容易に導くことができる。
【００１２】
第５に、前記冷温切換室のダクトは、冷凍サイクルの冷却器が配設される冷気循環ダクトであるから、他の冷凍サイクルの凝縮器を設置するためのダクトを別途設ける必要がなく、構造が複雑になることを防止できる。また、冷風を吹き出すものと同じダクトから温風を吹き出すから、冷風の場合と風路が同一になり、商品収納庫内の商品を効率よく加温できる。
【００１３】
第６に、異なる温度帯は、アイスクリーム用、冷蔵用、冷凍用、温蔵用であり、アイスクリーム用の冷凍サイクルの凝縮器を温蔵室のダクトに配設することにより、冷却能力が大きく運転サイクルのオン時間の長い圧縮機からのホットガスが温蔵室側の凝縮器に供給されることになり、大きな加温能力が得られる。
【００１４】
第７に、前記冷温切換室は、ヒータを備えるから、アイスクリーム用の冷凍サイクルから流入するホットガスの熱源だけでは十分に加温できない場合に、ヒータに通電することで所定の室内温度が得られる。この場合、熱源をヒータだけに頼らないから節電できる。
【００１５】
【発明の実施の形態】
以下、図面について本発明の実施の形態を詳細に説明する。図１は本発明の冷凍冷蔵リーチインショーケースの運転制御方法が実施される冷凍サイクルの冷媒回路図、図２は本発明の運転制御方法が実施される冷凍冷蔵リーチインショーケースの正面図、図３は図２のＡ−Ａ線断面図、図４は図２のＢ−Ｂ線断面図で、冷凍冷蔵リーチインショーケースの構造から説明すると、断熱壁で構成されるショーケース本体１内を断熱仕切板２で区画して異なる温度帯が設定される複数（図示の例では３つ）の室３ａ、３ｂ、３ｃに区分し、各室３ａ〜３ｃの前面の商品出し入れ用の開口を扉４で開閉自在に覆う。
【００１６】
前記複数の室３ａ、３ｂ、３ｃは、本実施形態では一例として、ショーケース本体１を縦方向に２分割して右側を室３ａとし、２分割された左側のみをさらに上下に２分割して上を室３ｂ、下を室３ｃとする。
【００１７】
そして、室３ａをアイスクリームの収納庫として設定温度が−２０℃程度の温度帯が設定される室に形成し、室３ｂを冷温切換室として、６０〜７０℃の温かい飲料などが収納されるホット室と、２〜８℃の冷蔵商品が収納される冷蔵室とに形成し、室３ｃを冷蔵冷凍切換室として、２〜８℃の冷蔵商品が収納される冷蔵室と、−１２〜−１８℃の冷凍商品が収納される冷凍室とに形成した。
【００１８】
そして、各室３ａ、３ｂ、３ｃは、内部をそれぞれ仕切板５で商品収納庫６ａ、６ｂ、６ｃと冷気循環ダクト７ａ、７ｂ、７ｃとに区画し、商品収納庫６ａ、６ｂ、６ｃ内にはそれぞれ商品の陳列棚１０を複数段配設し、また、冷気循環ダクト７ａ、７ｂ、７ｃの内部にはそれぞれ冷却器８ａ、８ｂ、８ｃと送風機９ａ、９ｂ、９ｃを配設し、冷気循環ダクト７ａ、７ｂ、７ｃの下端を循環される冷気の吸込口に、上端を冷気の吹出口に形成する。
【００１９】
そして、冷温切換室である室３ｂには、冷気循環ダクト７ｂに配設されている送風機９ｂの下流側と、陳列棚１０の例えば下面とにヒータ１１ａ、１１ｂを配設する。
【００２０】
図中１２は各室３ａ、３ｂ、３ｃの商品収納庫６ａ、６ｂ、６ｃ内を照射する蛍光灯を示す。
【００２１】
図１は、各室３ａ、３ｂ、３ｃを設定された温度帯に冷却または加熱するための冷凍サイクルを示し、本発明では２つの冷凍サイクルを設け、第１の冷凍サイクルを室３ａ用、第２の冷凍サイクルを室３ｂ、３ｃ用とし、ショーケース本体１の上部に機械室１３を設け、該機械室１３内に第１の冷凍サイクルを構成する圧縮機１４ａ、凝縮器１５ａを配設するとともに、第２の冷凍サイクルを構成する圧縮機１４ｂ、凝縮器１５ｂを配設する。
【００２２】
そして、第１の冷凍サイクルについては、圧縮機１４ａの吐出側に四方弁１８を介して冷媒配管１７ａで凝縮器１５ａを接続し、該凝縮器１５ａの吐出側を液溜１９ａ、減圧弁２３ａを介して冷媒配管１７ａでさらに冷却器８ａに接続し、該冷却器８ａの吐出側をアキュムレータ１６ａを介して冷媒配管１７ａで前記圧縮機１４ａの流入側に接続し、これにより室３ａを冷却するための独立した冷凍サイクルを形成する。
【００２３】
第２の冷凍サイクルは、室３ｂと室３ｃとに共用するもので、室３ｂについては、圧縮機１４ｂの吐出側を冷媒配管１７ｂで凝縮器１５ｂに接続し、該凝縮器１５ｂの吐出側を液溜１９ｂおよび電磁弁２０ｂ、減圧弁２３ｂを介して冷媒配管１７ｂで冷却器８ｂに接続し、該冷却器８ｂの吐出側を電磁弁２１ｂおよびアキュムレータ１６ｂを介して冷媒配管１７ｂで前記圧縮機１４ｂの流入側に接続し、これにより室３ｂについて独立した冷凍サイクルを形成する。
【００２４】
また、室３ｃについては、前記電磁弁２０ｂの上流側で冷媒配管１７ｂを分岐して、分岐した冷媒配管１７ｃに電磁弁２０ｃを設け、該電磁弁２０ｃの下流側を減圧弁２３ｃを介して冷媒配管１７ｃで冷却器８ｃの流入側に接続し、該冷却器８ｃの吐出側を前記電磁弁２１ｂの下流側で冷媒配管１７ｂに合流させて圧縮機１４ｂの流入側に接続し、これにより室３ｃについて独立した冷凍サイクルを形成する。
【００２５】
以上は、各室３ａ、３ｂ、３ｃを設定されたアイスクリーム用、冷蔵用、冷凍用の温度帯にそれぞれ冷却するための冷凍サイクルの構成である。冷温切換室である室３ｂを加温するための構成は、第１の冷凍サイクルの構成要素として、前記凝縮器１５ａとは別の凝縮器２２を設け、該凝縮器２２を室３ｂを冷却する冷却器８ｂに並設し、四方弁１８を介して圧縮機１４ａの吐出側を冷媒配管２４で凝縮器２２の流入側に接続し、該凝縮器２２の吐出側を四方弁１８を介して冷媒配管２４で凝縮器１５ａの流入側に接続する。
【００２６】
これにより、凝縮器２２が圧縮機１４ａと凝縮器１５ａとの間に介在され冷媒配管２４で接続され、凝縮器１５ａの流入側に圧縮機１４ａから吐出されたホットガスの迂回路が冷温切換室である室３ｂ側に形成され、圧縮機１４ａ、凝縮器２２、凝縮器１５ａ、冷却器８ａとで第１の冷凍サイクルが形成される。
【００２７】
冷凍冷蔵切換室である室３ｃを冷凍と冷蔵の温度帯に切り換える構成は、図示は省略するが、温度調節器による温度設定制御で行う。
【００２８】
次に各室３ａ、３ｂ、３ｃを設定されたアイスクリーム用、冷蔵用、冷凍用およびホット用の温度帯に冷却、加温する方法を説明する。図５（ａ）に示すように、室３ａをアイスクリーム用、室３ｂを冷蔵用、室３ｃを冷蔵用として使用する場合を説明すると、アイスクリーム用の室３ａについては、第１の冷凍サイクルにより冷媒を圧縮機１４ａで圧縮して高温高圧の気体冷媒とし、これを四方弁１８を介して凝縮器１５ａに送り、ここで冷却液化してから減圧弁２３ａで減圧して冷却器８ａに供給する。
【００２９】
冷却器８ａの中の液冷媒は周囲の空気から蒸発に必要な熱を奪いながら蒸発する。これにより、冷気循環ダクト７ａ内の空気が冷却され、冷気が商品収納庫６ａ内に吹き出されて庫内が所定温度に冷却される。
【００３０】
冷却器８ａ内で蒸発した気体冷媒は冷媒配管１７ａを通って圧縮機１４ａに吸い込まれ、ここで再び圧縮され高温高圧の気体冷媒となる。かかるサイクルにより室３ａをアイスクリーム用の−２０℃に保持する。
【００３１】
冷蔵用の室３ｂについては、第２の冷凍サイクルにより、圧縮機１４ｂで圧縮されて高温高圧となった気体冷媒を冷媒配管１７ｂで凝縮器１５ｂに送り、ここで凝縮してから電磁弁２０ｂを介して減圧弁２３ｂに送り、減圧した後、冷気循環ダクト７ｂに配設してある冷却器８ｂに供給する。
【００３２】
冷却器８ｂの中の液冷媒は周囲の空気から蒸発に必要な熱を奪いながら蒸発する。これにより、冷気循環ダクト７ｂ内の空気が冷却され、冷気が商品収納庫６ｂ内に吹き出されて庫内が所定温度に冷却される。
【００３３】
冷却器８ｂ内で蒸発した気体冷媒は冷媒配管１７ｂを通って圧縮機１４ｂに吸い込まれ、ここで再び圧縮され高温高圧の気体冷媒となる。かかるサイクルにより室３ｂを冷蔵用の２〜８℃に保持する。
【００３４】
冷蔵用の室３ｃについても、第２の冷凍サイクルにより、圧縮機１４ｂで圧縮されて高温高圧となった気体冷媒を冷媒配管１７ｂで凝縮器１５ｂに送り、ここで凝縮してから電磁弁２０ｃを介して減圧弁２３ｃに送り、減圧した後、冷気循環ダクト７ｃに配設してある冷却器８ｃに供給する。
【００３５】
冷却器８ｃの中の液冷媒は周囲の空気から蒸発に必要な熱を奪いながら蒸発する。これにより、冷気循環ダクト７ｃ内の空気が冷却され、冷気が商品収納庫６ｃ内に吹き出されて庫内が所定温度に冷却される。
【００３６】
冷却器８ｃ内で蒸発した気体冷媒は冷媒配管１７ｃを通って冷媒配管１７ｂと合流して圧縮機１４ｂに吸い込まれ、ここで再び圧縮され高温高圧の気体冷媒となる。かかるサイクルにより室３ｃを冷蔵用の２〜８℃に保持する。
【００３７】
次に、図５（ｂ）に示すように、室３ｃを冷凍用に切り換えるには、温度調節器により設定温度を−１２〜−１８℃に切り換え、電磁弁２０ｃのオンオフ時間を変えることで行う。
【００３８】
図５（ｃ）（ｄ）に示すように、室３ｂをホット室に切り換えるには、電磁弁２０ｂ、電磁弁２１ｂをオフして冷却器８ｂへの冷媒の供給を停止し、冷却運転を停止する。この場合、電磁弁２０ｂ、電磁弁２１ｂのオンオフは同期させる。また、冷却器８ｂの運転は停止しても、圧縮機１４ｂはオン状態にあり、室３ｃの冷却運転には支障はない。
【００３９】
この状態で、第１の冷凍サイクルの四方弁１８を切り換えて、圧縮機１４ａから吐出された高温高圧の気体冷媒（ホットガス）をそのまま直ぐには凝縮器１５ａには送らずに、冷媒配管２４を介して室３ｂの冷気循環ダクト７ｂに配設されている凝縮器２２に送る。このように圧縮機１４ａから吐出された高温高圧の気体冷媒（ホットガス）を室３ｂ側の冷気循環ダクト７ｂ内に迂回させる。これにより、凝縮される前の高温の冷媒の有する熱が冷気循環ダクト７ｂ内に放熱され、送風機９ｂによって温風が吹出口から商品収納庫６ｂ内に供給されて、室３ｂ中が加温される。
【００４０】
ここで、室３ｂを加温する熱源を第１の冷凍サイクルの側の冷媒から得るようにしたのは、第１の冷凍サイクルがアイスクリーム用の低温冷却のためのものであり、圧縮機１４ａの能力も大きく、また、運転サイクルのオン時間が長いと推定されるためである。
【００４１】
商品収納庫６ｂ内の加温は、このような冷媒の有する熱によるだけでなく、冷気循環ダクト７ｂに配設のヒータ１１ａや陳列棚１０に配設のヒータ１１ｂに通電してもよい。
【００４２】
そして、凝縮器２２を通過した冷媒は冷媒配管２４を通り四方弁１８を介して凝縮器１５ａに流入した後、冷却器８ａに供給される。これにより、室３ａの側では第１の冷凍サイクルが形成され、室３ａの冷却に支障が生じることはない。
【００４３】
以上のようにして各室３ａ〜３ｃを異なる温度帯の温度に任意に設定することが可能となる。そして、そのための切り換えは、ヒータへの通電のオンオフ、冷凍サイクルの流路切り換えだけで容易に行える。
【００４４】
【発明の効果】
以上述べたように本発明の冷凍冷蔵リーチインショーケースは、第１に、ショーケース本体内を断熱壁で相互に遮断された複数の独立した室に区画し、各室の前面の商品出し入れ用の開口に扉を設け、各室をそれぞれ室毎に異なる温度帯に切り換え可能にした。このように各室は相互に温度的に遮断されるから、各室毎に設定された温度帯の温度に各室内を確実に保持することができ、収納商品に適した温度を確保できる。
【００４５】
第２に、異なる温度帯に対応させて少なくとも２つの冷凍サイクルを設置するとともに、各室にはそれぞれ専用の冷却器を配設することにより、各室は専用の冷却器で温度制御され、各室毎に設定された温度帯の温度に各室内を確実に保持することができる。そして、この場合、冷凍サイクルは少なくとも２つ設置したから、区画された室が２つ以上で、異なる温度帯が２つ以上であっても、冷凍サイクルの運転時間のオン時間や能力を各室の設定温度に対応させることができ、設定温度を確保しやすい。
【００４６】
第３に、ショーケース本体内を断熱壁で相互に遮断され、異なる温度帯に設定される複数の室に区画し、各室の前面の商品出し入れ用の開口に扉を設け、各室のうちすくなくとも１つを冷温切換室に形成した冷凍冷蔵リーチインショーケースにおいて、複数の冷凍サイクルを設け、前記冷温切換室を温蔵室に設定するときに当該冷温切換室を冷却する冷凍サイクル以外の他の冷凍サイクルの冷媒熱で該温蔵室を加温するようにした。
【００４７】
これにより、冷温切換室以外の室を冷却する冷凍サイクルの冷媒の熱を利用して温蔵室を加温できるから、加温のためにヒータなどの加熱手段を別途格別に必要とせず、運転コストを低減できる。
【００４８】
第４に、他の冷凍サイクルに２つの凝縮器を設け、そのうちの一方の凝縮器を冷温切換室のダクトに配設し、他の冷凍サイクルの圧縮機から吐出されて前記ダクトに配設した凝縮器で凝縮する時の冷媒の放熱で温蔵室を加温することにより、他の冷凍サイクルの冷媒配管を冷温切換室のダクトにバイパスさせてここに凝縮器を配設するだけの簡単な構成で圧縮機から吐出した高温高圧のホットガス（気体冷媒）を冷温切換室のダクトに容易に導くことができる。
【００４９】
第５に、前記冷温切換室のダクトは、冷凍サイクルの冷却器が配設される冷気循環ダクトであるから、他の冷凍サイクルの凝縮器を設置するためのダクトを別途設ける必要がなく、構造が複雑になることを防止できる。また、冷風を吹き出すものと同じダクトから温風を吹き出すから、冷風の場合と風路が同一になり、商品収納庫内の商品を効率よく加温できる。
【００５０】
第６に、異なる温度帯は、アイスクリーム用、冷蔵用、冷凍用、温蔵用であり、アイスクリーム用の冷凍サイクルの凝縮器を温蔵室のダクトに配設することにより、冷却能力が大きく運転サイクルのオン時間の長い圧縮機からのホットガスが温蔵室側の凝縮器に供給されることになり、大きな加温能力が得られる。
【００５１】
第７に、前記冷温切換室は、ヒータを備えるから、アイスクリーム用の冷凍サイクルから流入するホットガスの熱源だけでは十分に加温できない場合に、ヒータに通電することで所定の室内温度が得られる。この場合、熱源をヒータだけに頼らないから節電できる。
【図面の簡単な説明】
【図１】
本発明の冷凍冷蔵リーチインショーケースの実施形態を示す冷凍サイクルの冷媒回路図である。
【図２】
本発明の冷凍冷蔵リーチインショーケースの実施形態を示す正面図である。
【図３】
本発明の冷凍冷蔵リーチインショーケースの実施形態を示す図２のＡ−Ａ線断面図である。
【図４】
本発明の冷凍冷蔵リーチインショーケースの実施形態を示す図２のＢ−Ｂ線断面図である。
【図５】
本発明の冷凍冷蔵リーチインショーケースの実施形態を示す各室の温度帯切り換えの説明図である。
【符号の説明】
１…ショーケース本体    ２…断熱仕切板          ３ａ、３ｂ、３ｃ…室
４…扉                  ５…仕切板
６ａ、６ｂ、６ｃ…商品収納庫      ７ａ、７ｂ、７ｃ…冷気循環ダクト
８ａ、８ｂ、８ｃ…冷却器          ９ａ、９ｂ、９ｃ…送風機
１０…陳列棚            １１ａ、１１ｂ…ヒータ  １２…蛍光灯
１３…機械室            １４ａ、１４ｂ…圧縮機
１５ａ、１５ｂ…凝縮器            １６ａ、１６ｂ…アキュムレータ
１７ａ、１７ｂ、１７ｃ…冷媒配管  １８…四方弁
１９ａ、１９ｂ…液溜              ２０ｂ、２０ｃ…電磁弁
２１ｂ…電磁弁      ２２…凝縮器
２３ａ、２３ｂ、２３ｃ…減圧弁    ２４…冷媒配管